(57)【要約】  【課題】、収容された紙葉類が複数の綴じ孔に極めて近接した位置にまで接近してしまうことを好適に抑制し得る紙葉類収容ホルダー等を提供する。  【解決手段】紙葉類を収容し得る収容空間ｓｐが形成された袋状のホルダー本体１と、複数の綴じ孔を所定の方向に複数配列させてなる綴じ孔列を有しホルダー本体１の一側端に設けられた綴じ孔領域２とを備えた紙葉類収容ホルダーＤであって、綴じ孔列よりもホルダー本体１側に設けられた線状をなす第一の溶着部ｈ１と、第一の溶着部ｈ１よりも綴じ孔列から離れた位置に設けられた線状をなす第二の溶着部ｈ２とを備えており、可撓変形容易領域Ｈが設けられた構成とした。【選択図】図１
2020006512.tif 000002
【特許請求の範囲】
【請求項１】
透明をなす表裏のシートを重ね合わせて形成され、少なくとも一辺が開放可能に構成され内部に紙葉類を収容し得る収容空間が形成された袋状のホルダー本体と、複数の綴じ孔を所定の方向に複数配列させてなる綴じ孔列を有し前記ホルダー本体の一側端に設けられた綴じ孔領域とを備えた紙葉類収容ホルダーであって、
前記綴じ孔列よりも前記ホルダー本体側に設けられた線状をなす第一の溶着部と、前記第一の溶着部よりも前記綴じ孔列から離れた位置に設けられた線状をなす第二の溶着部とを備えており、
前記ホルダー本体における前記綴じ孔領域に沿う領域に、前記第一、第二の溶着部によって前記収容空間に収容された前記紙葉類が位置し難く構成された可撓変形容易領域が設けられている紙葉類収容ホルダー。
【請求項２】
前記ホルダー本体の上辺が開放可能に構成されたものであり、
前記第二の溶着部が、前記ホルダー本体における上下方向中間部にのみ設けられている請求項１記載の紙葉類収容ホルダー。
【請求項３】
前記可撓変形容易領域内に設けられ、直線状をなし上端部が下端部よりも前記綴じ孔列側に位置するように傾斜した姿勢をなすとともに前記第二の溶着部よりも上に配された第三の溶着部を備えている請求項１又は２記載の紙葉類収容ホルダー。
【請求項４】
前記可撓変形容易領域内に設けられ、直線状をなし下端部が上端部よりも前記綴じ孔列側に位置するように傾斜した姿勢をなすとともに、前記第二の溶着部よりも下に配された第四の溶着部を備えている請求項３記載の紙葉類収容ホルダー。
【請求項５】
前記第二の溶着部の上端部が、前記第三の溶着部の下端部から離間した位置に設けられており、
前記第二の溶着部の下端部が、前記第四の溶着部の上端部から離間した位置に設けられている請求項４記載の紙葉類収容ホルダー。
【請求項６】
前記第一、第二の溶着部が、前記綴じ孔列と略平行な直線状をなしている請求項１、２、３、４又は５記載の紙葉類収容ホルダー。
【請求項７】
前記第一の溶着部と前記第二の溶着部との間に、他の綴じ孔が設けられている請求項１、２、３、４、５又は６記載の紙葉類収容ホルダー。
【請求項８】
前記第一の溶着部が、直線状をなし上端部が下端部よりも前記綴じ孔列側に位置するように傾斜した姿勢をなすとともに前記第二の溶着部よりも上に配された上の傾斜溶着部である請求項１又は２記載の紙葉類収容ホルダー。
【請求項９】
表裏の表紙とこれら表裏の表紙間に配された背表紙とを有したファイル本体と、このファイル本体に対して綴じ具を介して支持された複数の請求項１、２、３、４、５、６、７又は８に記載の紙葉類収容ホルダーとを備えてなるファイルであって、
前記背表紙又は前記背表紙近傍の前記表裏の表紙に、前記紙葉類の収容量に応じて選択的に折り曲げ可能な複数の折り曲げ線を設けているファイル。
【発明の詳細な説明】
【技術分野】
【０００１】
本発明は、オフィス等において好適に使用される紙葉類収容ホルダー、及び、ファイルに関する。
【背景技術】
【０００２】
従来から、表裏一対のシートから形成され、上端側を開放部とするとともにシートの一方の側端縁に沿って複数の綴じ孔が形成されている袋状をなす種々の紙葉類収容ホルダーが知られている（例えば、非特許文献１を参照）。
【０００３】
一般的に、この種の紙葉類収容ホルダーは、表紙に取り付けられた綴じ具に支持され得るように構成されている。紙葉類収容ホルダーの端部には、綴じ具の綴じリングを挿通させることができる複数の綴じ孔が形成されている。
【０００４】
従来の紙葉類収容ホルダーは、内部に収容された紙葉類が、当該内部において複数の綴じ孔に極めて近接した位置或いは複数の綴じ孔と重複し得る位置に位置し得るものとなっていた。
【０００５】
ところが、このようなものであると、図１６（従来例）に示すように、複数枚の紙葉類収容ホルダーＸＤを、背表紙Ｘｂ３の内面側に設けた綴じ具ＸＣの綴じリングＸｃ１に支持させるようにした場合に、次のような不具合が発生し得るものとなっていた。すなわち、紙葉類収容ホルダーＸＤの綴じ孔Ｘ２０側に極めて近接した位置に、一定の厚み及び剛性を有した紙葉類たる用紙ＸＰが存在することになる。この結果、積層された複数の紙葉類収容ホルダーＸＤの内、特に外層側（表表紙Ｘｂ１及び裏表紙Ｘｂ２に近い位置）にある紙葉類収容ホルダーＸＤの綴じ孔Ｘ２０側の部分が、内部の用紙ＸＰとともに表表紙Ｘｂ１及び裏表紙Ｘｂ２の方向に凸をなすように膨らみ出てしまうものとなる。当該紙葉類収容ホルダーＸＤは、表表紙Ｘｂ１及び裏表紙Ｘｂ２を内面側から外方に向かって押し出すことになり、ファイルＸＡ全体の見栄えを悪くする一因となっている。
【０００６】
また、綴じ具に支持させた紙葉類収容ホルダー内に収容される紙葉類の量が増加すると、綴じ具を開いた際に上層に位置する紙葉類収容ホルダーが飛び出してしまう場合があった。
【０００７】
換言すれば、従来の紙葉類収容ホルダーは、内部に収容された紙葉類が、複数の綴じ孔に極めて近接した位置或いは複数の綴じ孔と重複する位置にまで位置し得るものとなっていたため、ファイルの使用・整理又は保管のし易さやファイル全体の外観等を損ねてしまうことがあった。
【先行技術文献】
【特許文献】
【０００８】
【非特許文献１】“クリヤーブック替紙”，コクヨ総合カタログ２０１８年版ステーショナリー編，コクヨ株式会社，平成２９年１２月，ｐ．２１２
【発明の概要】
【発明が解決しようとする課題】
【０００９】
本発明は、以上のような事情に着目してなされたもので、収容された紙葉類が複数の綴じ孔側に近接し過ぎてしまうことを好適に抑制し得る紙葉類収容ホルダー、及び、当該紙葉類収容ホルダーを綴じ具に支持させてなるファイルを提供することにある。
【課題を解決するための手段】
【００１０】
すなわち、本発明は次の構成をなしている。
【００１１】
請求項１に記載の発明は、透明をなす表裏のシートを重ね合わせて形成され、少なくとも一辺が開放可能に構成され内部に紙葉類を収容し得る収容空間が形成された袋状のホルダー本体と、複数の綴じ孔を所定の方向に複数配列させてなる綴じ孔列を有し前記ホルダー本体の一側端に設けられた綴じ孔領域とを備えた紙葉類収容ホルダーであって、前記綴じ孔列よりも前記ホルダー本体側に設けられた線状をなす第一の溶着部と、前記第一の溶着部よりも前記綴じ孔列から離れた位置に設けられた線状をなす第二の溶着部とを備えており、前記ホルダー本体における前記綴じ孔領域に沿う領域に、前記第一、第二の溶着部によって前記収容空間に収容された前記紙葉類が位置し難く構成された可撓変形容易領域が設けられている紙葉類収容ホルダーである。
【００１２】
請求項２に記載の発明は、前記ホルダー本体の上辺が開放可能に構成されたものであり、前記第二の溶着部が、前記ホルダー本体における上下方向中間部にのみ設けられている請求項１記載の紙葉類収容ホルダーである。
【００１３】
請求項３に記載の発明は、前記可撓変形容易領域内に設けられ、直線状をなし上端部が下端部よりも前記綴じ孔列側に位置するように傾斜した姿勢をなすとともに前記第二の溶着部よりも上に配された第三の溶着部を備えている請求項１又は２記載の紙葉類収容ホルダーである。
【００１４】
請求項４に記載の発明は、前記可撓変形容易領域内に設けられ、直線状をなし下端部が上端部よりも前記綴じ孔列側に位置するように傾斜した姿勢をなすとともに、前記第二の溶着部よりも下に配された第四の溶着部を備えている請求項３記載の紙葉類収容ホルダーである。
【００１５】
請求項５に記載の発明は、前記第二の溶着部の上端部が、前記第三の溶着部の下端部から離間した位置に設けられており、前記第二の溶着部の下端部が、前記第四の溶着部の上端部から離間した位置に設けられている請求項４記載の紙葉類収容ホルダーである。
【００１６】
請求項６に記載の発明は、前記第一、第二の溶着部が、前記綴じ孔列と略平行な直線状をなしている請求項１、２、３、４又は５記載の紙葉類収容ホルダーである。
【００１７】
請求項７に記載の発明は、前記第一の溶着部と前記第二の溶着部との間に、他の綴じ孔が設けられている請求項１、２、３、４、５又は６記載の紙葉類収容ホルダーである。
【００１８】
請求項８に記載の発明は、前記第一の溶着部が、直線状をなし上端部が下端部よりも前記綴じ孔列側に位置するように傾斜した姿勢をなすとともに前記第二の溶着部よりも上に配された上の傾斜溶着部である請求項１又は２記載の紙葉類収容ホルダーである。
【００１９】
請求項９に記載の発明は、表裏の表紙とこれら表裏の表紙間に配された背表紙とを有したファイル本体と、このファイル本体に対して綴じ具を介して支持された複数の請求項１、２、３、４、５、６、７又は８に記載の紙葉類収容ホルダーとを備えてなるファイルであって、前記背表紙又は前記背表紙近傍の前記表裏の表紙に、前記紙葉類の収容量に応じて選択的に折り曲げ可能な複数の折り曲げ線を設けているファイルである。
【００２０】
ここで、「紙葉類」は、用紙に限られるものではなく、ホルダー本体内に収容され得るシート状又は板状のものであればどのようなものであってもよい。
【００２１】
また、第二の溶着部を特定する「第一の溶着部よりも綴じ孔列から離れた位置（に設けられた…）」は、仮に、第一、第二の溶着部が互いに平行をなしていない場合には、「第一の溶着部における第二の溶着部から最も離れた部分（最離部分）よりも綴じ孔列から離れた位置」である。すなわち、第二の溶着部は、第一の溶着部の最離部分よりも綴じ孔列から離れた位置にあればよく、仮に、第一の溶着部の一部及び第二の溶着部が綴じ孔列と等距離であっても構わない。
【発明の効果】
【００２２】
以上説明したように本発明によれば、収容された紙葉類が複数の綴じ孔側に近接し過ぎてしまうことを好適に抑制し得る紙葉類収容ホルダー、及び、当該紙葉類収容ホルダーを綴じ具に支持させてなるファイルを提供することができるものとなる。
【図面の簡単な説明】
【００２３】
【図１】本発明の第一の実施形態を示す斜視図。
【図２】同実施形態における斜視図。
【図３】同実施形態における正面図。
【図４】同実施形態における部分拡大正面図。
【図５】同実施形態における一使用状態を説明するための概略底面図。
【図６】本発明の第二の実施形態を示す正面図。
【図７】本発明の第三の実施形態を示す正面図。
【図８】本発明の第四の実施形態を示す正面図。
【図９】本発明の第五の実施形態を示す正面図。
【図１０】同実施形態における背面図。
【図１１】同実施形態における右側面図。
【図１２】同実施形態における左側面図。
【図１３】同実施形態における平面図。
【図１４】同実施形態における底面図。
【図１５】同実施形態における部分拡大正面図。
【図１６】従来例における一使用状態を説明するための概略底面図。
【発明を実施するための形態】
【００２４】
以下、本発明の一実施形態を、図１〜５を参照して説明する。
【００２５】
この実施形態は、本発明を、紙葉類である用紙Ｐを収容可能な紙葉類収容ホルダーＤ、及び、複数の紙葉類収容ホルダーＤを綴じ具Ｃにより支持させてなるファイルＡに適用したものである。紙葉類収容ホルダーＤは、「ファイル用ポケット」とも称されるものである。
【００２６】
ファイルＡは、ファイル本体Ｂと、ファイル本体Ｂに取り付けた綴じ具Ｃと、綴じ具Ｃに支持された複数枚の紙葉類収容ホルダーＤとを備えてなる。ファイル本体Ｂは、表裏の表紙ｂ１、ｂ２と、表裏の表紙ｂ１、ｂ２間に配された背表紙ｂ３を有している。表裏の表紙ｂ１、ｂ２における背表紙ｂ３近傍には、紙葉類収容ホルダーＤに対する用紙Ｐの収容量に応じて選択的に折り曲げ可能な複数の折り曲げ線ｂ１１、ｂ２１が設けられている。綴じ具Ｃは、開閉可能に構成された複数の綴じリングｃ１を備えている。綴じ具Ｃは、ファイル本体Ｂにおける背表紙ｂ３の内面側に取り付けられている。
【００２７】
以下、第一の実施形態の紙葉類収容ホルダーＤについて詳述する。
【００２８】
紙葉類収容ホルダーＤは、正面視において略矩形状をなしたものである。紙葉類収容ホルダーＤは、合成樹脂製の透明をなす表裏のシートｓ１、ｓ２を重ね合わせて形成されたものである。紙葉類収容ホルダーＤは、一辺すなわち上辺ｅ１が開放可能な開口部Ｇを構成し当該開口部Ｇを通じて内部に用紙Ｐを収容し得る収容空間ｓｐが形成された袋状のホルダー本体１と、複数の綴じ孔である大径孔２１及び小径孔２２を所定の方向すなわち上下方向に複数配列させてなる綴じ孔列２ａ、２ｂを有しホルダー本体１の一側端に設けられた綴じ孔領域２とを備えたものである。
【００２９】
ホルダー本体１は、正面視において略矩形状をなしている。ホルダー本体１は、その上辺ｅ１が開放可能に構成されている。この実施形態におけるホルダー本体１は、開口部Ｇを通じて内部にＡ４サイズの用紙Ｐを収容し得る大きさに設定されている。
【００３０】
綴じ孔領域２は、上下方向に長い帯状をなしている。綴じ孔領域２は、ホルダー本体１の一側縁すなわち内側辺ｅ４に隣接している。綴じ孔領域２は、表裏のシートｓ１、ｓ２を溶着した溶着シート部分２ｙ（把握の便宜上図中においてパターンを施している）を有している。綴じ孔領域２は、全体として上下方向に長い帯状をなしている。綴じ孔領域２は、複数の綴じ孔である四箇所の大径孔２１、及び、二十六箇所の小径孔２２をそれぞれ上下方向に所定間隔で配列させてなる綴じ孔列２ａ、２ｂを有している。綴じ孔領域２内の四箇所に形成された大径孔２１は、真円形状をなしており、その中心点が図示しない同一仮想直線上に位置するように配されている。綴じ孔領域２の二十六箇所に形成された小径孔２２は、真円形状をなしており、その中心点が図示しない同一仮想直線上に位置するように配されている。大径孔２１及び小径孔２２は、重ね合わせた表裏のシートｓ１、ｓ２の一部をプレス型で打ち抜くことによって形成されている。大径孔２１及び小径孔２２は、ファイル本体Ｂに取り付けられた綴じ具Ｃの綴じリングｃ１（又は綴じ足）の本数に対応して選択的に利用されるものである。
【００３１】
この実施形態における紙葉類収容ホルダーＤは、綴じ孔列２ａ、２ｂよりもホルダー本体１側に設けられた線状をなす第一の溶着部たる領域内縁部ｈ１と、領域内縁部ｈ１よりも綴じ孔列２ａ、２ｂから離れた位置に設けられた線状をなす第二の溶着部たるホルダー本体１の中間溶着部ｈ２とを備えている。そして、紙葉類収容ホルダーＤは、ホルダー本体１における綴じ孔領域２に沿う領域に、第一の溶着部である領域内縁部ｈ１と、第二の溶着部である中間溶着部ｈ２とによって収容空間ｓｐに収容された用紙Ｐが位置し難く構成された可撓変形容易領域Ｈが設けられている。可撓変形容易領域Ｈは、用紙Ｐが配設されることに伴って撓み難くなることが抑制された領域である。可撓変形容易領域Ｈは、ホルダー本体１において撓みやすさが確保された一部領域である。
【００３２】
領域内縁部ｈ１は、ホルダー本体１の収容空間ｓｐと綴じ孔領域２とを隔てる位置に形成されている。領域内縁部ｈ１は、ホルダー本体１の上辺ｅ１及び下辺ｅ２に対して直交する方向に延びてなる直線状のものである。領域内縁部ｈ１は、ホルダー本体１の外側辺ｅ３と平行をなしているとともにホルダー本体１の内側辺ｅ４と合致した位置に設けられている。
【００３３】
中間溶着部ｈ２は、領域内縁部ｈ１と略平行をなし上下方向に延びた直線状のものである。中間溶着部ｈ２は、ホルダー本体１における上下方向中間部にのみ設けられている。すなわち、この実施形態において中間溶着部ｈ２は、ホルダー本体１における上部及び下部には設けられていない。
【００３４】
中間溶着部ｈ２と領域内縁部ｈ１との離間寸法ｗ１は、４．５ｍｍ〜８．０ｍｍの範囲内に設定されている。なお、この実施形態では、中間溶着部ｈ２と領域内縁部ｈ１との離間寸法ｗ１は約６．５ｍｍに設定されている。
【００３５】
また、綴じ孔領域２の外側縁部ｅ５と中間溶着部ｈ２との離間寸法ｗ２は、１７ｍｍ〜２０ｍｍの範囲内に設定されている。領域内縁部ｈ１と中間溶着部ｈ２は、綴じ孔列２ａ、２ｂと略平行な直線状をなしている。
【００３６】
可撓変形容易領域Ｈは、領域内縁部ｈ１と中間溶着部ｈ２を主体に設定されている。つまり、可撓変形容易領域Ｈは、ホルダー本体１における綴じ孔領域２に隣接し上下方向に長い帯状の所定領域である。可撓変形容易領域Ｈは、ホルダー本体１に用紙Ｐが収容された状態であっても柔軟に撓みやすく構成されている。
【００３７】
可撓変形容易領域Ｈ内には、直線状をなし上端部ｊ３が下端部ｋ３よりも綴じ孔列２ａ、２ｂ側に位置するように傾斜した姿勢をなすとともに中間溶着部ｈ２よりも上に配された第三の溶着部たる上傾斜溶着部ｈ３を備えている。中間溶着部ｈ２の上端部ｊ２は、上傾斜溶着部ｈ３の下端部ｋ３から離間した位置に設けられている。より具体的に言えば、中間溶着部ｈ２の上端部ｊ２と、上傾斜溶着部ｈ３の下端部ｋ３との離間寸法ｗ３は、９ｍｍ〜１１ｍｍの範囲内に設定されている。なお、この実施形態では、中間溶着部ｈ２の上端部ｊ２と上傾斜溶着部ｈ３の下端部ｋ３との離間寸法ｗ３は、約１０．７ｍｍに設定されている。
【００３８】
中間溶着部ｈ２の上端部ｊ２は、上傾斜溶着部ｈ３の下端部ｋ３よりも綴じ孔列２ａ、２ｂから離れた位置に設けられている。上傾斜溶着部ｈ３の上端部ｊ３は、領域内縁部ｈ１から離間した位置に設けられている。
【００３９】
可撓変形容易領域Ｈ内には、直線状をなし下端部ｋ４が上端部ｊ４よりも綴じ孔列２ａ、２ｂ側に位置するように傾斜した姿勢をなすとともに、中間溶着部ｈ２よりも下に配された第四の溶着部たる下傾斜溶着部ｈ４を備えている。中間溶着部ｈ２の下端部ｋ２は、下傾斜溶着部ｈ４の上端部ｊ４から離間した位置に設けられている。より具体的に言えば、中間溶着部ｈ２の下端部ｋ２と、下傾斜溶着部ｈ４の上端部ｊ４との離間寸法ｗ４は、９ｍｍ〜１１ｍｍの範囲内に設定されている。なお、この実施形態では、中間溶着部ｈ２の下端部ｋ２と上傾斜溶着部ｈ３の上端部ｊ３との離間寸法ｗ４は、約１０．７ｍｍに設定されている。
【００４０】
中間溶着部ｈ２の下端部ｋ２は、下傾斜溶着部ｈ４の上端部ｊ４よりも綴じ孔列２ａ、２ｂから離れた位置に設けられている。下傾斜溶着部ｈ４の下端部ｋ４は、領域内縁部ｈ１から離間した位置に設けられている。
【００４１】
以上に述べたように、第一の実施形態に示す紙葉類収容ホルダーＤは、透明をなす表裏のシートｓ１、ｓ２を重ね合わせて形成され、少なくとも一辺たる上辺ｅ１が開放可能に構成され内部に紙葉類たる用紙Ｐを収容し得る収容空間ｓｐが形成された袋状のホルダー本体１と、複数の綴じ孔である大径孔２１及び小径孔２２を上下方向に複数配列させてなる綴じ孔列２ａ、２ｂを有しホルダー本体１の一側端に設けられた綴じ孔領域２とを備えたものである。
【００４２】
そして、綴じ孔列２ａ、２ｂよりもホルダー本体１側に設けられた線状をなす第一の溶着部たる領域内縁部ｈ１と、領域内縁部ｈ１よりも綴じ孔列２ａ、２ｂから離れた位置に設けられた線状をなす第二の溶着部たる中間溶着部ｈ２とを備えている。ホルダー本体１における綴じ孔領域２に沿う領域には、領域内縁部ｈ１及び中間溶着部ｈ２によって収容空間ｓｐに収容された用紙Ｐが位置し難く構成された可撓変形容易領域Ｈが設けられている。
【００４３】
このため、収容空間ｓｐに収容された用紙Ｐが複数の綴じ孔２１、２２側に近接し過ぎてしまうことを好適に抑制し得る紙葉類収容ホルダーＤを提供することができるものとなる。
【００４４】
つまり、領域内縁部ｈ１と当該領域内縁部ｈ１よりも綴じ孔列２ａ、２ｂから離れた位置に設けられた線状をなす中間溶着部ｈ２とによって、ホルダー本体１における綴じ孔領域２に沿う領域には、収容空間ｓｐに収容された用紙Ｐが位置し難くなる。これにより、ホルダー本体１の一部分すなわち綴じ孔領域２に沿う部分に、用紙Ｐが収容された状態であっても柔軟な可撓変形が確保された可撓変形容易領域Ｈが設けられることになる。
【００４５】
そして、可撓変形容易領域Ｈは、用紙Ｐの影響を受け難く撓みやすくなるため、ファイルＡを構成した場合の従来の不具合を好適に抑制し得るものとなっている。
【００４６】
すなわち、図１６において示すように、従来のものは、積層された複数の紙葉類収容ホルダーＸＤの内、特に外側（表表紙Ｘｂ１及び裏表紙Ｘｂ２に近い位置）にあるものにおける綴じ孔Ｘ２０側に極めて近接した部分が、内部の用紙ＸＰとともに表表紙Ｘｂ１及び裏表紙Ｘｂ２の方向に湾曲状に膨らんでしまうものとなっていた。これは、紙葉類収容ホルダーＸＤの綴じ孔Ｘ２０と綴じリングＸｃ１との位置関係が拘束されているため、紙葉類収容ホルダーＸＤの綴じ孔Ｘ２０に極めて近接した部分に用紙ＸＰが位置してしまうと当該用紙ＸＰの曲げ強さの影響を受けて紙葉類収容ホルダーＸＤが外方すなわち表表紙Ｘｂ１及び裏表紙Ｘｂ２側に凸をなすように膨らまざるを得ないことによるものである。
【００４７】
以上に述べた従来の不具合は、本実施形態に示すものであれば好適に抑制し得るものとなっている。つまり、本実施形態に示すものであれば、図５に示すように、ホルダー本体１への用紙Ｐの収容量が増加しても、収容空間ｓｐ内の用紙Ｐが綴じリングｃ１と係り合う綴じ孔列２ａ、２ｂに対して所定間隔を隔てて位置することになるため、綴じ元側が膨らんで用紙Ｐが丸まってしまうことを好適に抑制することができる。
【００４８】
このため、本実施形態に示される紙葉類収容ホルダーＤであれば、ファイル本体Ｂの背表紙ｂ３に設けた綴じ具Ｃの綴じリングｃ１に支持させても、ファイル本体Ｂの表裏の表紙ｂ１、ｂ２を内方から外方に向かって押し出し難い構成を実現することができるものとなる。
【００４９】
また、綴じ具Ｃによって綴じる紙葉類収容ホルダーＤの枚数が増加した場合であっても、綴じリングｃ１を開けたとたんに上層の紙葉類収容ホルダーＤが飛び出すような不具合の発生が好適に抑制されるものとなる。
【００５０】
ホルダー本体１の上辺ｅ１が開放可能に構成されたものであり、中間溶着部ｈ２が、ホルダー本体１における上下方向中間部にのみ設けられている。このため、ホルダー本体１の開放可能な領域すなわち用紙Ｐの出入口が広く確保されるものとなる。したがって、用紙Ｐをホルダー本体１に収容する際やホルダー本体１に収容されていた用紙Ｐを外部に取り出す際に開口部Ｇを広く確保することができるものとなっている。しかも、ホルダー本体１における上下方向下部すなわち収容空間ｓｐの下部も収容可能スペースとして好適に利用し得るものとなっている。
【００５１】
可撓変形容易領域Ｈ内に設けられ、直線状をなし上端部ｊ３が下端部ｋ３よりも綴じ孔列２ａ、２ｂ側に位置するように傾斜した姿勢をなすとともに中間溶着部ｈ２よりも上に配された上傾斜溶着部ｈ３を備えている。このため、用紙Ｐをホルダー本体１の収容空間ｓｐ内に挿入する際に、当該用紙Ｐを収容空間ｓｐ内に収まるように適切に案内し得るものとなっている。つまり、上傾斜溶着部ｈ３は、開口部Ｇを通じて挿入された用紙Ｐの角部分ｐ１と係わり合った場合に、当該角部分ｐ１を中間溶着部ｈ２との干渉を避けるようにして収容空間ｓｐ内の奥方に適切に案内し得るようになっている。
【００５２】
可撓変形容易領域Ｈ内に設けられ、直線状をなし下端部ｋ４が上端部ｊ４よりも綴じ孔列２ａ、２ｂ側に位置するように傾斜した姿勢をなすとともに、中間溶着部ｈ２よりも下に配された第四の溶着部たる下傾斜溶着部ｈ４を備えている。このため、使用者に対して可撓変形容易領域Ｈを視覚的に認識させやすいものとなる。しかも、下傾斜溶着部ｈ４は、正面視において上傾斜溶着部ｈ３と上下対称に構成されているため、上傾斜溶着部ｈ３と下傾斜溶着部ｈ４とが協働して天地対称の美観を発揮し、全体的なデザイン性の向上に寄与したものとなっている。また、可撓変形容易領域Ｈが、仮に、領域内縁部ｈ１、中間溶着部ｈ２、及び、上傾斜溶着部ｈ４により構成されていた場合には、これらにより囲われた空間に小物類等の物品が入り込んでしまい得るところ、下傾斜溶着部ｈ４を設けることによりかかる不具合の発生を未然に抑制することができるものとなっている。
【００５３】
中間溶着部ｈ２の上端部が、上傾斜溶着部ｈ３の下端部から離間した位置に設けられている。このため、上下に隣り合う上傾斜溶着部ｈ３と中間溶着部ｈ２とが連続的に形成されないため、可撓変形容易領域Ｈの可撓性を好適に維持し得るものとなっている。つまり、中間溶着部ｈ２や上傾斜溶着部ｈ３はそれぞれ溶着により形成されるため一定の硬さすなわち撓み難さが生じ得る。中間溶着部ｈ２と上傾斜溶着部ｈ３とが連続的に形成されると可撓変形容易領域Ｈの可撓性を損ねる可能性があるが、本実施形態では係る不具合を好適に抑制したものとなっている。
【００５４】
中間溶着部ｈ２の下端部が、下傾斜溶着部ｈ４の上端部から離間した位置に設けられている。このため、上下に隣り合う中間溶着部ｈ２と下傾斜溶着部ｈ４とが連続的に形成されないため、可撓変形容易領域Ｈの可撓性を好適に維持し得るものとなっている。つまり、中間溶着部ｈ２や下傾斜溶着部ｈ４はそれぞれ溶着により形成されるため一定の硬さすなわち撓み難さが生じ得る。中間溶着部ｈ２と下傾斜溶着部ｈ４とが連続的に形成されると可撓変形容易領域Ｈの可撓性を損ねる可能性があるが、本実施形態では係る不具合を好適に抑制したものとなっている。
【００５５】
第一の溶着部たる領域内縁部ｈ１と、第二の溶着部たる中間溶着部ｈ２が綴じ孔列２ａ、２ｂと略平行な直線状をなしている。このため、領域内縁部ｈ１と中間溶着部ｈ２とによって、上下方向に延びた帯状の可撓変形容易領域Ｈを適切に設定し得るものとなっている。
【００５６】
第一の実施形態に示すファイルＡは、表裏の表紙ｂ１、ｂ２とこれら表裏の表紙ｂ１、ｂ２間に配された背表紙ｂ３とを有したファイル本体Ｂと、このファイル本体Ｂに対して綴じ具Ｃを介して支持された複数の紙葉類収容ホルダーＤとを備えている。そして、背表紙ｂ３近傍の表裏の表紙ｂ１、ｂ２に、用紙Ｐの収容量に応じて選択的に折り曲げ可能な複数の折り曲げ線ｂ１１、ｂ２１を設けている。このため、ファイル本体Ｂが、複数の紙葉類収容ホルダーＤに収容された用紙Ｐの収容量に応じて好適な背幅を有した形態を採り得るものとなっている。
【００５７】
なお、本発明は、以上に詳述した実施形態に限られるものではない。
【００５８】
以下において、他の実施形態である紙葉類収容ホルダーＤについて説明する。なお、他の実施形態における図面（図６〜１５）において、上述した第一の実施形態と同一又は相当する構成については同一の符号を付すものとし、詳細な説明を省略する。
【００５９】
図６では、第二の実施形態である紙葉類収容ホルダーＤを示している。この実施形態では、第一の溶着部である領域内縁部ｈ１と第二の溶着部である中間溶着部ｈ２との間に、可撓変形容易領域Ｈ内の上下方向中間部における上下二箇所に真円形状をなす他の綴じ孔２３が設けられている。また、同図に示すように綴じ孔列２ｂを構成するものとして、綴じ孔たる小径孔２２とともに複数の長孔２４を含んでいる。当該第二の実施形態に示すものであっても、可撓変形容易領域Ｈが適切に設定され得るものとなるため、所期の目的を達成し得るものとなる。図６に示すように、他の綴じ孔２３を設けたものであれば、必要以上に大きな大径孔を設定する必要なく、綴じ具Ｃに対しての余り空間が形成されることによる紙葉類収容ホルダーＤの傾きを好適に抑制できるものとなっている。
【００６０】
図７では、第三の実施形態である紙葉類収容ホルダーＤを概略的に示している。この実施形態では、第一の溶着部である領域内縁部ｈ１と第二の溶着部である中間溶着部ｈ２のみにより、ホルダー本体１に可撓変形容易領域Ｈが設定されている。また、第一の実施形態と比較して、綴じ孔領域２には、表裏のシートｓ１、ｓ２を面的に溶着してなる溶着シート部分が設けられていない。当該第三の実施形態に示すものであっても、可撓変形容易領域Ｈが適切に設定され得るものとなるため、所期の目的を達成し得るものとなる。
【００６１】
図８では、第四の実施形態である紙葉類収容ホルダーＤを概略的に示している。この実施形態では、第一の溶着部が、直線状をなし上端部が下端部よりも綴じ孔列２ａ、２ｂ側に位置するように傾斜した姿勢をなすとともに第二の溶着部である中間溶着部ｈ２よりも上に配された上の傾斜溶着部ｈ５となっている。綴じ孔領域２には、第三の実施形態と同様に表裏のシートｓ１、ｓ２を面的に溶着した溶着シート部分を有していない。
【００６２】
この実施形態では、ホルダー本体１における綴じ孔領域２に沿う領域に、第一の溶着部である上の傾斜溶着部ｈ５と、第二の溶着部である中間溶着部ｈ２とを備えており、これら上の傾斜溶着部ｈ５と中間溶着部ｈ２のみによって収容空間ｓｐに収容された紙葉類たる用紙Ｐが位置し難く構成された可撓変形容易領域Ｈが設けられているものとなっている。上の傾斜溶着部ｈ５は、直線状をなし上端部が下端部よりも綴じ孔列２ａ、２ｂ側に位置するように傾斜した姿勢をなすとともに中間溶着部ｈ２よりも上に一定の間隔を空けて配されたものとなっている。
【００６３】
当該第四の実施形態に示すものであっても、可撓変形容易領域Ｈが適切に設定され得るものとなるため、所期の目的を達成し得るものとなる。
【００６４】
＜第五の実施形態＞
以下、第五の実施形態の紙葉類収容ホルダーＤ（ファイル用ポケット）について、図９〜１５を参照して詳述する。
【００６５】
紙葉類収容ホルダーＤは、正面視において略矩形状をなしたものである。紙葉類収容ホルダーＤは、合成樹脂製の透明をなす表裏のシートｓ１、ｓ２を重ね合わせて形成されたものである。紙葉類収容ホルダーＤは、一辺すなわち上辺ｅ１が開放可能な開口部Ｇを構成し当該開口部Ｇを通じて内部に用紙Ｐを収容し得る収容空間ｓｐが形成された袋状のホルダー本体１と、複数の綴じ孔である大径孔２１及び小径孔２２を所定の方向すなわち上下方向に複数配列させてなる綴じ孔列２ａ、２ｂを有しホルダー本体１の一側端に設けられた綴じ孔領域２とを備えたものである。
【００６６】
ホルダー本体１は、正面視において略矩形状をなしている。ホルダー本体１は、その上辺ｅ１が開放可能に構成されている。この実施形態におけるホルダー本体１は、開口部Ｇを通じて内部にＡ４サイズの用紙Ｐを収容し得る大きさに設定されている。
【００６７】
綴じ孔領域２は、上下方向に長い帯状をなしている。綴じ孔領域２は、ホルダー本体１の一側縁すなわち内側辺ｅ４に隣接している。綴じ孔領域２は、表裏のシートｓ１、ｓ２を溶着した溶着シート部分２ｙを有している。（なお、第五の実施形態では、第一の実施形態のような把握の便宜上施したパターン表示を省略している。）綴じ孔領域２は、全体として上下方向に長い帯状をなしている。綴じ孔領域２は、複数の綴じ孔である四箇所の大径孔２１、及び、二十六箇所の小径孔２２をそれぞれ上下方向に所定間隔で配列させてなる綴じ孔列２ａ、２ｂを有している。綴じ孔領域２内の四箇所に形成された大径孔２１は、真円形状をなしており、その中心点が図示しない同一仮想直線上に位置するように配されている。綴じ孔領域２の二十六箇所に形成された小径孔２２は、真円形状をなしており、その中心点が図示しない同一仮想直線上に位置するように配されている。大径孔２１及び小径孔２２は、重ね合わせた表裏のシートｓ１、ｓ２の一部をプレス型で打ち抜くことによって形成されている。大径孔２１及び小径孔２２は、ファイル本体Ｂに取り付けられた綴じ具Ｃの綴じリングｃ１（又は綴じ足）の本数に対応して選択的に利用されるものである。
【００６８】
この実施形態における紙葉類収容ホルダーＤは、綴じ孔列２ａ、２ｂよりもホルダー本体１側に設けられた線状をなす第一の溶着部たる領域内縁部ｈ１と、領域内縁部ｈ１よりも綴じ孔列２ａ、２ｂから離れた位置に設けられた線状をなす第二の溶着部たるホルダー本体１の中間溶着部ｈ２とを備えている。そして、紙葉類収容ホルダーＤは、ホルダー本体１における綴じ孔領域２に沿う領域に、第一の溶着部である領域内縁部ｈ１と、第二の溶着部である中間溶着部ｈ２とによって収容空間ｓｐに収容された用紙Ｐが位置し難く構成された可撓変形容易領域Ｈが設けられている。可撓変形容易領域Ｈは、用紙Ｐが配設されることに伴って撓み難くなることが抑制された領域である。可撓変形容易領域Ｈは、ホルダー本体１において撓みやすさが確保された一部領域である。
【００６９】
領域内縁部ｈ１は、ホルダー本体１の収容空間ｓｐと綴じ孔領域２とを隔てる位置に形成されている。領域内縁部ｈ１は、ホルダー本体１の上辺ｅ１及び下辺ｅ２に対して直交する方向に延びてなる直線状のものである。領域内縁部ｈ１は、ホルダー本体１の外側辺ｅ３と平行をなしているとともにホルダー本体１の内側辺ｅ４と合致した位置に設けられている。
【００７０】
中間溶着部ｈ２は、領域内縁部ｈ１と略平行をなし上下方向に延びた直線状のものである。中間溶着部ｈ２は、ホルダー本体１における上下方向中間部にのみ設けられている。すなわち、この実施形態において中間溶着部ｈ２は、ホルダー本体１における上部及び下部には設けられていない。
【００７１】
中間溶着部ｈ２と領域内縁部ｈ１との離間寸法ｗ１は、３．４ｍｍ〜５．４ｍｍの範囲内に設定されている。なお、この実施形態では、中間溶着部ｈ２と領域内縁部ｈ１との離間寸法ｗ１は約４．４ｍｍに設定されている。
【００７２】
また、綴じ孔領域２の外側縁部ｅ５と中間溶着部ｈ２との離間寸法ｗ２は、１７ｍｍ〜２０ｍｍの範囲内に設定されている。領域内縁部ｈ１と中間溶着部ｈ２は、綴じ孔列２ａ、２ｂと略平行な直線状をなしている。
【００７３】
可撓変形容易領域Ｈは、領域内縁部ｈ１と中間溶着部ｈ２を主体に設定されている。つまり、可撓変形容易領域Ｈは、ホルダー本体１における綴じ孔領域２に隣接し上下方向に長い帯状の所定領域である。可撓変形容易領域Ｈは、ホルダー本体１に用紙Ｐが収容された状態であっても柔軟に撓みやすく構成されている。
【００７４】
可撓変形容易領域Ｈ内には、直線状をなし上端部ｊ３が下端部ｋ３よりも綴じ孔列２ａ、２ｂ側に位置するように傾斜した姿勢をなすとともに中間溶着部ｈ２よりも上に配された第三の溶着部たる上傾斜溶着部ｈ３を備えている。中間溶着部ｈ２の上端部ｊ２は、上傾斜溶着部ｈ３の下端部ｋ３から離間した位置に設けられている。より具体的に言えば、中間溶着部ｈ２の上端部ｊ２と、上傾斜溶着部ｈ３の下端部ｋ３との離間寸法ｗ３は、４ｍｍ〜７ｍｍの範囲内に設定されている。なお、この実施形態では、中間溶着部ｈ２の上端部ｊ２と、上傾斜溶着部ｈ３の下端部ｋ３との離間寸法ｗ３は、約５．２ｍｍに設定されている。
【００７５】
中間溶着部ｈ２の上端部ｊ２及び上傾斜溶着部ｈ３の下端部ｋ３は、綴じ孔列２ａ、２ｂから左右方向に略同じ寸法離間した位置に設けられている。上傾斜溶着部ｈ３の上端部ｊ３は、領域内縁部ｈ１と重なる位置に設けられている。
【００７６】
可撓変形容易領域Ｈ内には、直線状をなし下端部ｋ４が上端部ｊ４よりも綴じ孔列２ａ、２ｂ側に位置するように傾斜した姿勢をなすとともに、中間溶着部ｈ２よりも下に配された第四の溶着部たる下傾斜溶着部ｈ４を備えている。中間溶着部ｈ２の下端部ｋ２は、下傾斜溶着部ｈ４の上端部ｊ４から離間した位置に設けられている。より具体的に言えば、中間溶着部ｈ２の下端部ｋ２と、下傾斜溶着部ｈ４の上端部ｊ４との離間寸法ｗ４は、４ｍｍ〜７ｍｍの範囲内に設定されている。なお、この実施形態では、中間溶着部ｈ２の下端部ｋ２と上傾斜溶着部ｈ３の上端部ｊ３との離間寸法ｗ４は、約５．２ｍｍに設定されている。
【００７７】
中間溶着部ｈ２の下端部ｋ２及び下傾斜溶着部ｈ４の上端部ｊ４は、綴じ孔列２ａ、２ｂから左右方向に略同じ寸法離間した位置に設けられている。下傾斜溶着部ｈ４の下端部ｋ４は、領域内縁部ｈ１と重なる位置に設けられている。
【００７８】
以上に述べた第五の実施形態に示すものであっても、可撓変形容易領域Ｈが適切に設定され得るものとなり、また、各構成における作用効果も第一の実施形態に示すものに準じたものとなるため、所期の目的を達成し得るものとなる。
【００７９】
その他、ファイル本体、綴じ具、及び、紙葉類収容ホルダーの各部の具体的構成についても、上述した各実施形態に限定されるものではなく、本発明の趣旨を逸脱しない範囲で種々変更可能である。
【００８０】
例えば、他の紙葉類収容ホルダーとしては、図９〜１５に示す紙葉類収容ホルダーＤから領域内縁部ｈ１を取り除き、上傾斜溶着部ｈ３を、本願発明における第一の溶着部としたものが考えられる。
【００８１】
すなわち、紙葉類収容ホルダーＤは、透明をなす表裏のシートｓ１、ｓ２を重ね合わせて形成され、上辺ｅ１が開放可能に構成され内部に紙葉類たる用紙Ｐを収容し得る収容空間ｓｐが形成された袋状のホルダー本体１と、複数の綴じ孔２１、２２を上下方向に複数配列させてなる綴じ孔列２ａ、２ｂを有しホルダー本体１の一側端に設けられた綴じ孔領域２とを備えている。そして、綴じ孔列２ａ、２ｂよりもホルダー本体１側に設けられた線状をなす第一の溶着部である上の傾斜溶着部ｈ３と、第一の溶着部である上の傾斜溶着部ｈ３よりも綴じ孔列２ａ、２ｂから離れた位置に設けられた線状をなす第二の溶着部たる中間溶着部ｈ２とを備えている。ホルダー本体１における綴じ孔領域２に沿う領域に、上の傾斜溶着部ｈ３、及び、中間溶着部ｈ２によって収容空間ｓｐに収容された用紙Ｐが位置し難く構成された可撓変形容易領域Ｈが設けられている。そして、この説明の例では、第一の溶着部である上の傾斜溶着部ｈ３は、直線状をなし上端部ｊ３が下端部ｋ３よりも綴じ孔列２ａ、２ｂ側に位置するように傾斜した姿勢をなすとともに中間溶着部ｈ２よりも上に配されたものである。このようなものであっても、上の傾斜溶着部ｈ３及び中間溶着部ｈ２により可撓変形容易領域Ｈが適切に設定され得るものとなり、また、各構成における作用効果も第五の実施形態に示すものに準じたものとなるため、所期の目的を達成し得るものとなる。
【００８２】
なお、第二の溶着部である中間溶着部ｈ２の左右方向の位置（綴じ孔列２ａ、２ｂからの離間距離）と、第一の溶着部である上の傾斜溶着部ｈ３の下端部ｋ３の左右方向の位置（綴じ孔列２ａ、２ｂからの離間距離）とは略同じである。しかしながら、中間溶着部ｈ２は、上の傾斜溶着部ｈ３の最離部分（すなわち上端部ｊ３）よりも綴じ孔列２ａ、２ｂから離れた位置にあるため、本願発明の「第二の溶着部」に相当し得る。
【００８３】
第一、第二の溶着部は線状をなしたものであればよい。すなわち、第一、第二の溶着部は、曲線状のものであってもよく、必ずしも直線状をなしたものに限られるものではない。
【００８４】
第二の溶着部は、第一の溶着部よりも綴じ孔列から離れた位置に設けられたものであればよい。すなわち、ホルダー本体における上手方向中間部にのみ設けられたものに限られるものではなく、ホルダー本体の上下方向の略全域に設けられたものであってもよい。
【００８５】
第三、第四の溶着部を設けていないものであってもよい。また、第三の溶着部、又は、第四の溶着部が、第二の溶着部と連続的に設けられたものであってもよい。
【００８６】
可撓変形容易領域を設定するために、第一、第二の溶着部以外の溶着部を適宜設けてもよいのはもちろんのことである。
【００８７】
「紙葉類」は、用紙に限られるものではなく、ホルダー本体内に収容され得るシート状又は板状のものであればどのようなものであってもよい。なお、例えば、冊子のように複数枚の紙葉類が束ねられたものであってもよいのはもちろんのことである。
【００８８】
その他、各部の具体的構成についても上記実施形態に限られるものではなく、本発明の趣旨を逸脱しない範囲で種々変形が可能である。
【符号の説明】
【００８９】
Ａ…ファイル
Ｂ…ファイル本体
Ｃ…綴じ具
Ｄ…紙葉類収容ホルダー
１…ホルダー本体
２…綴じ孔領域
Ｈ…可撓変形容易領域
ｈ１…領域内縁部（第一の溶着部）
ｈ２…中間溶着部（第二の溶着部）
【図１】
2020006512.tif 000003
【図２】
2020006512.tif 000004
【図３】
2020006512.tif 000005
【図４】
2020006512.tif 000006
【図５】
2020006512.tif 000007
【図６】
2020006512.tif 000008
【図７】
2020006512.tif 000009
【図８】
2020006512.tif 000010
【図９】
2020006512.tif 000011
【図１０】
2020006512.tif 000012
【図１１】
2020006512.tif 000013
【図１２】
2020006512.tif 000014
【図１３】
2020006512.tif 000015
【図１４】
2020006512.tif 000016
【図１５】
2020006512.tif 000017
【図１６】
2020006512.tif 000018